(57)【特許請求の範囲】
【請求項１】
互いに直交する前後方向と横方向と上下方向を有し、股下域の前方に前胴周り域が形成され、前記股下域の後方に後胴周り域が形成されており、前記股下域が透液性内面シートと不透液性外面シートとの間に体液吸収性の芯材が介在している体液吸収部を含んでいて下方向へ凸となるように前記前後方向において湾曲しており、前記股下域にはまた尿と便とを分離可能なセパレータが形成されている使い捨てのパンツ型おむつであって、
前記おむつの着用者の肌と前記内面シートとの間に介在するように前記内面シートに接合している最内側シート部材と前記内面シートとが前記上下方向で互いに離間可能な部分において排泄物収容部を形成し、前記排泄物収容部への尿の進入を可能にする前部開口と便の進入を可能にする後部開口とが前記最内側シート部材に含まれており、
前記最内側シート部材は、前記前後方向において前記前部開口と前記後部開口との間に延びる部分が、前記前後方向で互いに対向するように折曲されるとともに前記おむつの前記前後方向の寸法を二等分して前記前後方向へ延びる中心線上において直接的および間接的いずれかの態様で互いに接合して前記前部開口と前記後部開口との間において前記股下域に向かって垂下してその垂下した下端部が前記内面シートに接合することにより前記セパレータを形成しており、
前記セパレータには、前記中心線上において取り付けられていて、前記前後方向に１〜１０ｍｍの厚さを有し、前記横方向に１０〜７０ｍｍの幅を有し、前記上下方向に前記セパレータの前記上下方向の寸法の３０〜１００％に相当する高さを有し前記最内側シート部材の前記セパレータにおける変形を抑制するシート状部材が取り付けられており、
前記前後部開口の縁部それぞれには、前記最内側シート部材の一部を折り返すことによって形成された前記横方向へ延びるスリーブが形成されており、前記スリーブのうちの少なくとも前記後開口縁部の前記スリーブは、前記前開口縁部と対向して位置するように内側に折り返されて形成されており、
前記シート状部材の外端縁は前記前後部開口の縁部から前記上下方向において離間して位置することを特徴とする前記おむつ。
【請求項２】
前記シート状部材は、ＪＩＳ  Ｋ  ６４００−２のセクション６に規定の硬さ測定方法のＤ法に基づく硬さが４０〜１３０Ｎである請求項１記載のおむつ。
【請求項３】
前記シート状部材が、前記前後方向において、前記セパレータの前側、後側、および前記最内側シート部材どうしの間のいずれかにおいて前記セパレータに取り付けられている請求項１または２記載のおむつ。
【請求項４】
前記前後開口縁部の前記スリーブには、それぞれ、弾性部材が伸長状態で取り付けられる請求項１〜３のいずれかに記載のおむつ。
【発明の詳細な説明】
【技術分野】
【０００１】
この発明は、尿や便によって肌を汚すことのない使い捨てのパンツ型おむつに関する。
【背景技術】
【０００２】
着用したおむつの内側で尿と便とが混合されることを防ぐための構造を有するおむつは、従来周知である。例えば、特開２００７−２９６３１４号公報（特許文献１）に記載された使い捨てのパンツ型おむつでは、尿と便とが混合されることを防ぐためのセパレータを形成する不織布片がおむつの股下域にあり、その不織布片の両側縁部分がおむつ内面に固定されている。不織布片はまた、おむつの幅方向へ延びる前端縁部と後端縁部とを有し、これら両端縁部がおむつの幅を二等分する中心線上において一体化している。セパレータの前方と後方とには、尿と便とを別々に収容することのできる排泄物収容部が形成されている。
【特許文献１】特開２００７−２９６３１４号公報
【発明の開示】
【発明が解決しようとする課題】
【０００３】
従来例のこのおむつでは、着用者が座った姿勢になると、吸収性の芯材を被覆している透液性内面シートの上にセパレータが倒れるようにして重なり、セパレータ後方の排泄物収容部に進入していた便がそのセパレータを越えて前方に向かって流出し易くなり、便によって外性器を汚すということがある。また、着用者の両脚が間隔の狭くなるように動いて股下域にある芯材が幅方向において折れ曲がることによって肌に接近すると、排泄物収容部の内容積が小さくなり、排泄物収容部に入りきれない便で肌を汚すということもある。
【０００４】
そこで、この発明では、おむつ着用者の姿勢が様々に変化してもセパレータがその機能を発揮できるように、従来のおむつに改良を加えることを課題にしている。
【課題を解決するための手段】
【０００５】
前記課題を解決するために、この発明が対象とするのは、互いに直交する前後方向と横方向と上下方向を有し、股下域の前方に前胴周り域が形成され、前記股下域の後方に後胴周り域が形成されており、前記股下域が透液性内面シートと不透液性外面シートとの間に体液吸収性の芯材が介在している体液吸収部を含んでいて下方向へ凸となるように前記前後方向において湾曲しており、前記股下域にはまた尿と便とを分離可能なセパレータが形成されている使い捨てのパンツ型おむつである。
【０００６】
かかるパンツ型おむつにおいて、この発明が特徴とするところは、以下のとおりである。前記おむつの着用者の肌と前記内面シートとの間に介在するように前記内面シートに接合している最内側シート部材と前記内面シートとが前記上下方向で互いに離間可能な部分において排泄物収容部を形成し、前記排泄物収容部への尿の進入を可能にする前部開口と便の進入を可能にする後部開口とが前記最内側シート部材に含まれている。前記最内側シート部材は、前記前後方向において前記前部開口と前記後部開口との間に延びる部分が、前記前後方向で互いに対向するように折曲されるとともに前記おむつの前記前後方向の寸法を二等分して前記前後方向へ延びる中心線上において直接的および間接的いずれかの態様で互いに接合して前記前部開口と前記後部開口との間において前記股下域に向かって垂下してその垂下した下端部が前記内面シートに接合することにより前記セパレータを形成している。前記セパレータには、前記中心線上において取り付けられていて、前記前後方向に１〜１０ｍｍの厚さを有し、前記横方向に１０〜７０ｍｍの幅を有し、前記上下方向に前記セパレータの前記上下方向の寸法の３０〜１００％に相当する高さを有し前記最内側シート部材の前記セパレータにおける変形を抑制するシート状部材が取り付けられている。前記前後部開口の縁部それぞれには、前記最内側シート部材の一部を折り返すことによって形成された前記横方向へ延びるスリーブが形成されており、前記スリーブのうちの少なくとも前記後開口縁部の前記スリーブは、前記前開口縁部と対向して位置するように内側に折り返されて形成されている。前記シート状部材の外端縁は前記前後部開口の縁部から前記上下方向において離間して位置する。
【０００７】
この発明の実施形態の一つにおいて、前記シート状部材は、ＪＩＳ  Ｋ  ６４００−２のセクション６に規定の硬さ測定方法のＤ法に基づく硬さが４０〜１３０Ｎである。
【０００８】
この発明の好ましい実施形態の一つにおいて、前記シート状部材が、前記前後方向において、前記セパレータの前側、後側、および前記最内側シート部材どうしの間のいずれかにおいて前記セパレータに取り付けられている。
この発明の好ましい実施形態の一つにおいて、前記前後開口縁部の前記スリーブには、それぞれ、弾性部材が伸長状態で取り付けられる。
【発明の効果】
【０００９】
この発明に係る使い捨てのパンツ型おむつでは、尿と便とを分離してこれらの混合を防ぐセパレータを形成している最内側シート部材に対して、その横方向の寸法を二等分する中心線上に１〜１０ｍｍの厚さと、１０〜１７ｍｍの幅と、セパレータの高さの３０〜１００％の高さとを有するシート部材が取り付けられていてセパレータの変形が抑制されるから、おむつ着用者の姿勢が様々に変化しても、セパレータは折れ曲がりにくく、セパレータとしての機能を維持することができる。このセパレータはまた、体液吸収性の芯材が肌に接近する方向へ折れ曲がることを抑えることもできるので、芯材が折れ曲がることによって排泄物収容部の容積が小さくなるということを防ぐこともできる。
【発明を実施するための最良の形態】
【００１０】
添付の図面を参照してこの発明に係る使い捨てのパンツ型おむつの詳細を説明すると、以下のとおりである。
【００１１】
図１は、この発明に係る使い捨てのパンツ型おむつ１についての、それが着用状態にあるときの部分破断斜視図であって、おむつ１の前後方向と横方向と上下方向とが互いに直交する双頭矢印Ａ，Ｂ，Ｃで示されている。おむつ１は、透液性の内面シート２と、不透液性の外面シート３と、体液吸収性芯材４とを含んでいてパンツ形状に形成されている肌被覆部１０を有する。肌被覆部１０は、股下域６と、股下域６の前方に形成された前胴周り域７と、股下域６の後方に形成された後胴周り域８とを有し、前後胴周り域７，８の側縁部７ａ，８ａどうしが合掌状に重なり合い、図の上下方向へ間欠的に並ぶ接合域９において互いに溶着して、胴周り開口１１と一対の脚周り開口１２とが形成されている。胴周り開口１１の周縁部１１ａでは、内外面シート２，３の間にあって胴周り方向へ延びる複数条の胴周り弾性部材１４ａが内外面シート２，３の少なくとも一方に伸長状態で接合している。また、脚周り開口１２の周縁部１３では、脚周り方向へ延びる複数条の脚周り弾性部材１４ｂが内外面シート２，３の間にあって、これらシート２，３のうちの少なくとも一方に伸長状態で接合している。脚周り弾性部材１４ｂと内外面シート２，３との三者が脚周りに沿う環状の弾性域４１を形成している。おむつ１のうちの少なくとも股下域６は、内面シート２と外面シート３との間に芯材４が介在することによって形成される体液吸収部４５を含み、前後方向Ａにおいて下方に向かって凸となるように湾曲していて、最下部６ａを有する。
【００１２】
図２は、図１の前後胴周り域７，８を接合域９において剥離し、おむつ１の全体を前後方向Ａと、横方向Ｂとに展開した状態にある展開おむつ１ａの部分破断平面図であって、図にはその展開おむつ１ａの内面側が示されている。展開おむつ１ａでは、図１の肌被覆部１０が砂時計型のおむつ基体１０ａとなって現れている。図１における胴周り開口１１の周縁部１１ａは、おむつ基体１０ａの前端縁部７ｂと後端縁部８ｂとなって現れており、脚周り開口１２の周縁部１３は、おむつ基体１０ａの股下域側縁部１３ｂとなって現れている。股下域側縁部１３ｂは、おむつ基体１０ａを横方向Ｂにおいて二等分する前後方向中心線Ｐ−Ｐに向かって凸となるように湾曲しているが、前後胴周り域７，８の側縁部７ａ，８ａのそれぞれは、前後方向中心線Ｐ−Ｐにほぼ平行して前後方向Ａへ延びている。芯材４もまた砂時計型のものであって、粉砕パルプと高吸水性ポリマー粒子との混合物４ａがティシュペーパを一例とする体液の吸収性と拡散性とに優れた被覆シート４ｂによって覆われることにより形成されている。おむつ基体１０ａにおいて、その内面を形成している内面シート２の股下域６には、セパレータ２０ａ（図３参照）を形成するために、疎水性の不織布、プラスチックフィルムまたはこれら両者からなる複合シート等のシート材料、より好ましくは疎水性かつ不透液性の不織布、プラスチックフィルムまたはこれら両者からなる複合シート等のシート材料からなる最内側シート部材２０が取り付けられている。かような展開おむつ１ａは、前後方向中心線Ｐ−Ｐに関して対称に作られている。股下域６の最下部６ａは、展開おむつ１ａにおける前後方向Ａの寸法を二等分する横方向中心線Ｑ−Ｑの上にある。
【００１３】
最内側シート部材２０は、おむつ１が着用されたときに内面シート２と着用者の肌（図示せず）との間に介在するようにおむつ基体１０ａに取り付けられるもので、おむつ基体１０ａにおける股下域側縁部１３ｂのそれぞれにホットメルト接着剤２４を介して固定されている側縁部分２３と、股下域６の最下部６ａよりも前方にあって側縁部分２３どうしの間において横方向Ｂへ延びている前縁部分２１と、股下域６の最下部６ａよりも後方にあって側縁部分２３どうしの間において横方向Ｂへ延びている後縁部分２２とを有する。図示例の最内側シート部材２０は、側縁部分２３と後記図３に示されている下端部３５とを除くと、内面シート２に対して離間可能な非接合状態にあって、内面シート２との間にポケット状の排泄物収容部３１を形成することができる（図３参照）。前縁部分２１と後縁部分２２とのそれぞれには、最内側シート部材２０を折り返すことによって横方向Ｂへ延びるスリーブ２１ａと２２ａとが形成されている。これらスリーブ２１ａと２２ａとは、それぞれの内側に前方弾性部材２１ｂと後方弾性部材２２ｂとが伸長状態で取り付けられていて、股下域側縁部１３ｂどうしの間に延びる前方弾性域４２と後方弾性域４３とを形成している。これらの弾性域４２，４３は、おむつ基体１０ａの弾性域４１と交差している。前縁部分２１と後縁部分２２とはまた、横方向中心線Ｑ−Ｑからの距離ＨｆとＨｒとがほぼ同じである。
【００１４】
最内側シート部材２０の前縁部分２１には、前後方向中心線Ｐ−Ｐの上に変形抑制シート部材８１が取り付けられている。変形抑制シート部材８１は、スポンジ、発泡ポリウレタン、発泡ポリスチレン、発泡ポリエチレン、フェルト、不織布等によって形成されていて、おむつ１を着用したときに作用する体圧で変形するものではあるが、最内側シート部材２０ａのように容易に変形するということはないもので、より好ましい変形抑制シート部材８１は変形した後に速やかに復元する弾性を兼ね備えている。最内側シート部材２０の後縁部分２２に仮想線で示された部位８２は、おむつ基体１ａが側縁部７ａ，８ａを接合されてパンツ型おむつ１となるときに、変形抑制シート部材８１が接合する部位である（図３，４参照）。
【００１５】
図３は、図１のＩＩＩ−ＩＩＩ線断面図であって、ＩＩＩ−ＩＩＩ線は図２の前後方向中心線Ｐ−Ｐに一致している。パンツ形状の肌被覆部１０では、前後胴周り域７と後胴周り域８とが互いに側縁部７ａ，８ａにおいて接合している。股下域６は前後方向ＡにおいてＵ字形に湾曲しており、最下部６ａがそのＵ字形の底部を形成している。図２の股下域側縁部１３ｂは、脚周り開口１２を画成する周縁部１３となって現れている。最内側シート部材２０は、前縁部分２１と後縁部分２２とが変形抑制シート部材８１を介して接合しており、図２において前縁部分２１と後縁部分２２との間で前後方向Ａへ延びていた部分３６が最下部６ａに向かって垂下していて、股下域６を前方部分と後方部分とに仕切るセパレータ２０ａを形成している。変形抑制シート部材８１は、前後方向Ａに厚さＮを有し、上下方向に高さＬを有するものであって、最内側シート部材２０に対して接着または溶着により接合している。変形抑制シート部材８１が後縁部分２２と接合している部位８２は図２に部位８２として仮想線で示されている。セパレータ２０ａは、垂下している下端部３５が股下域６の最下部６ａに接着剤（図示せず）を介して接合しており、変形抑制シート部材８１から最下部６ａにおける内面シート２までの寸法である高さＫを有する。最内側シート部材２０が内面シート２と協働して形成する排泄物収容部３１では、最内側シート部材２０の前縁部分２１と内面シート２とが互いに離間可能であることによって前部開口３３を画成しており、最内側シート部材２０の後縁部分２２と内面シート２とが互いに離間可能であることによって後部開口３４を画成している。
【００１６】
図４は、図３のＩＶ−ＩＶ線矢視図であって、図１のパンツ型おむつ１を胴周り開口１１の上方から見た図でもある。変形抑制シート部材８１は、横方向Ｂに幅Ｍを有し、最内側シート部材２０の前縁部分２１と後縁部分２２とは、変形抑制シート部材８１によって横方向Ｂへ二分されていて、おむつ着用者（図示せず）の右脚に接触可能な右方部分２１Ｒ，２２Ｒと、左脚に接触可能な左方部分２１Ｌ，２２Ｌとを有する。右方部分２１Ｒと２２Ｒとは横向きのＶ字形を画いていて、着用者の右脚がこれら両部分２１Ｒと２２Ｒとの間に挿入される。左方部分２１Ｌと２２Ｌもまた横向きのＶ字形を画いていて、着用者の左脚がこれら両部分２１Ｌと２２Ｌとの間に挿入される。肌被覆部１０における脚周り開口１２の周縁部１３には、図示の如く右脚用周縁部１３Ｒと左脚用周縁部１３Ｌとがあって、それぞれの周縁部１３Ｒ，１３Ｌが、最内側シート部材２０における側縁部分２３に対して重なり合うことのない上方部分１５ａと、側縁部分２３に対して重なりあって接合している下方部分１５ｂとに分かれている（図３を合わせて参照）。図では、それら上方部分１５ａと下方部分１５ｂとの範囲が双頭矢印ＧとＨとによって示されている。
【００１７】
このように形成されているおむつ１を着用するときの手順とおむつ１の挙動とは、次のようになる。まず、肌被覆部１０の前後胴周り域７，８を前後方向Ａへ離間させて、胴周り開口１１を図１，４のように大きく広げると、最内側シート部材２０で形成されたセパレータ２０ａの前縁部分２１は右方部分２１Ｒと左方部分２１Ｌとが変形抑制シート部材８１を中央にして前後方向ＡにおいてＶ字形を画くように変形し、同じように後縁部分２２も右方部分２２Ｒと左方部分２２Ｌとが前後方向ＡにおいてＶ字形を画くように変形する(図４参照)。これらの変形によって、排泄物収容部３１における前部開口３３と後部開口３４とが自動的に大きく口を開ける（図３参照）。また、右方部分２１Ｒと２２Ｒとが前後方向Ａで離間すると同時に、左方部分２１Ｌと２２Ｌとが前後方向Ａで離間する。次に、おむつ着用者（図示せず）は、一対の脚周り開口１２のうちの右脚用周縁部１３Ｒにおける上方部分１５ａとセパレータ２０ａの前縁部分２１における右方部分２１Ｒと後縁部分２２における右方部分２２Ｒとが画成する右脚用開口部４１Ｒへ右脚を進入させる。続けて、その右脚を右脚用周縁部１３Ｒの上方部分１５ａと下方部分１５ｂとが画成する右脚用の脚周り開口１２へ進入させる。さらに続けて、左脚を左脚用周縁部１３Ｌのうちの上方部分１５ａとセパレータ２０ａの前縁部分２１における左方部分２１Ｌと後縁部分２２における左方部分２２Ｌとが画成する左脚用開口部４１Ｌへ進入させる。その左脚をさらに左脚用周縁部１３Ｌの上方部分１５ａと下方部分１５ｂとが画成する脚周り開口１２へ進入させる。
【００１８】
着用後のおむつ１において、それぞれの脚周り開口１２の周縁部１３、即ち右脚用周縁部１３Ｒと左脚用周縁部１３Ｌとは、脚周り開口１２それぞれの周り方向へ弾性的に伸長・収縮可能であり、セパレータ２０ａの前縁部分２１と後縁部分２２とは横方向Ｂへ弾性的に伸長・収縮可能であるから、右脚のつけ根近傍では、右脚用周縁部１３Ｒの上方部分１５ａとセパレータ２０ａにおける右方部分２１Ｒと２２Ｒとが脚周りに弾性的に密着して、体液の漏れを防ぐ第１次シール５１Ｒを形成する（図４参照）。第１次シール５１Ｒの下方では、右脚用周縁部１３Ｒの下方部分１５ｂと上方部分１５ａとが一体になって体液の漏れを防ぐ第２次シール５２Ｒ（図４参照）を形成して、この第２次シール５２Ｒが、従来のパンツ型おむつにおける脚周りのシールと同様に作用する。左脚についても同様であって、左脚のつけ根近傍では、左脚用周縁部１３Ｌの上方部分１５ａとセパレータ２０ａにおける左方部分２１Ｌと２２Ｌとが脚周りに弾性的に密着して、第１次シール５１Ｌを形成する。第１次シール５１Ｌの下方では、左脚用周縁部１３Ｌの下方部分１５ｂと上方部分１５ａとが一体になっている第２次シール５２Ｌを形成する。着用したおむつ１を身体に対して十分に引上げることによって、変形抑制シート部材８１が取り付けられているセパレータ２０ａの横方向Ｂにおける中央部分が着用者の外性器と肛門との間において肌に接触する。
【００１９】
着用状態がこのようであるおむつ１では、セパレータ２０ａにおける部分３６がおむつ着用者の股部を前方部分と後方部分とに区分していて、前方部分では着用者の外性器が前縁部分２１から前部開口３３へとのぞき、後方部分では着用者の肛門が後縁部分２２から後部開口３４へとのぞくことによって、尿は前部開口３３からポケット状の排泄物収容部３１へ確実に進入する。便は後部開口３４から排泄物収容部３１へ確実に進入する。それゆえ、パンツ型おむつ１では、尿と肌との接触および便と肌との接触をセパレータ２０ａによって防ぐことができる。また、セパレータ２０ａに取り付けられている変形抑制シート８１は、着用者の両脚が間隔の狭くなるように動いたときに、体液吸収部４５が肌に接近するように前後方向中心線Ｐ−Ｐに沿って折れ曲がろうとすることを抑制して、排泄物収容部３１の内容積が小さくなることを防いだり、体液吸収部４５が排泄物収容部３１の前方開口３３や後方開口３４に接近してこれら開口３３や３４を塞ぐように作用することを防いだりする。
【００２０】
体液吸収部４５がこのように折れ曲がろうとするときの形状は、図１と後記の図５とに仮想線Ｊによって示されている。図１の体液吸収部４５とその体液吸収部４５に相当する図５の体液吸収部材１２２とは、矢印Ｅ，Ｆで示す方向へ動いて折れ曲がり、肌に接近するように矢印Ｇ方向へ向かう動きを示すことがあるが、変形抑制シート部材８１は、その動きを抑えることができる。
【００２１】
変形抑制シート部材８１はまた、着用者が座った姿勢から立った姿勢に変わったときに、座った姿勢では内面シート２の上に倒れていたセパレータ２０ａが、図３の如くに前方開口３３と後方開口３４との間から内面シート２に向かって垂下した状態に戻ることを促進し、セパレータ２０ａが本来の機能をいち早く発揮することを可能にする。また、図３の如く垂下したときの下端部３５が股下域６の最下部６ａに接合しているセパレータ２０ａは、たとえそれが倒れた状態にあっても、最内側シート部材２０よりも剛性の高い変形抑制シート部材８１が取り付けられていることによって、前縁部分２１が前方へ引張られたり、後縁部分２２が後方へ引張られたりすると、前縁部分２１と下端部３５との間、換言すると後縁部分２２と下端部３５との間におけるセパレータ２０ａが図３の常態に容易に復帰する。
【００２２】
このように作用する変形抑制シート部材８１は、おむつ１が乳幼児用のものである場合において、幅Ｍが１０〜７０ｍｍ、より好ましくは３０〜６０ｍｍの範囲にあり、厚さＮが１〜１０ｍｍ、より好ましくは３〜７ｍｍの範囲にあり、高さＬがセパレータ２０ａの高さＫの３０〜１００％、より好ましくは５０〜８０％の範囲にある。そのセパレータ２０ａの高さは、２０〜１００ｍｍの範囲にあることが好ましい。変形抑制シート部材８１の寸法がこれらの範囲から外れるときには、おむつ１の着用感が悪くなったり、セパレータ２０ａや体液吸収部４５の変形を抑制する効果が乏しくなったりする。変形抑制シート部材８１はまた、横方向Ｂにおけるセパレータ２０ａの中央部における剛性を高める変形抑制シート部材８１としての効果を確かなものにするために、ＪＩＳ  Ｋ  ６４００−２のセクション６に規定の硬さ測定方法のＤ法に基づく硬さが４０〜１３０Ｎ、より好ましくは６０〜９０Ｎの範囲にあるシート材料によって形成される。硬さが４０Ｎを下回るときには、変形抑制シート部材８１が柔らかすぎるものになるので好ましくなく、硬さが１３０Ｎを越えるときには変形抑制シート部材８１がセパレータ２０ａを局部的に硬くしすぎるので好ましくない。変形抑制シート部材８１はさらにまた、弾性復元力を有するものであることが好ましい。
【００２３】
おむつ１において、セパレータ２０ａを形成している最内側シート部材２０の前縁部分２１は前部開口３３における周縁部の一部分を形成している。また、前後方向Ａにおいて、その前縁部分２１は、着用者の外性器よりも後方にあって、外性器が前部開口３３にのぞくことを可能にするようにその位置が決められる。かような前縁部分２１の形状は、図示例の如く横方向Ｂへ直状に延びているものに限らず、横方向中心線Ｑ−Ｑに向かって凸となるように湾曲しているものであってもよい。最内側シート部材２０の後縁部分２２は、後部開口３４における周縁部の一部分を形成している。また、前後方向Ａにおいて、その後縁部分２２は着用者の肛門よりも前方にあって、肛門が後部開口３４にのぞくことを可能にするようにその位置が決められる。かような後縁部分２２もまた、図示例の如く幅方向Ｂへ直状に延びているものに限らず、横方向中心線Ｑ−Ｑに向かって凸となるように湾曲しているものであってもよい。
【００２４】
なお、図２のおむつ基体１０ａの股下域６では、互いに重なり合う内外面シート２，３によって芯材４の外側にサイドフラップ２５が形成されている。そのサイドフラップ２５は、おむつ１が図１の状態にあって股下域６がＵ字形に湾曲して弾性域４１が収縮すると、横方向中心線Ｑ−Ｑの近傍、すなわち股下域６の最下部６ａの近傍において、芯材４の側縁部分４ｃに沿って上方へ起立する傾向を示す。一方、弾性域４１の内面に側縁部分２３が接合している最内側シート部材２０は、胴周り開口１１が大きく開口すると、サイドフラップ２５を前後方向中心線Ｐ−Ｐへ接近するようにおむつ１の横方向における内側へ引っ張り、その結果として、サイドフラップ２５は上方へ起立する傾向が強くなる。また、前縁部分２１と後縁部分２２とが弾性的に収縮するときには、その傾向が一層強くなる。このような傾向を有するサイドフラップ２５は、着用者の脚周りに対してパンツ型おむつ１の下方から密着して、脚周りからの体液の漏れを効果的に防止することができる。
【００２５】
この発明において、内面シート２には、不織布や開口プラスチックフィルム等の透液性シート材料を使用することができる。外面シート３には、プラスチックフィルムやプラスチックフィルムと不織布とからなる複合シート等の不透液性シート材料を使用することができる。芯材４には、粉砕パルプや粉砕パルプと高吸水性ポリマー粒子との混合物をティシュペーパ等のシート材料で被覆したものを使用することができる。最内側シート部材２０には、不織布やプラスチックフィルム等からなる疎水性のシート材料、より好ましくは疎水性にして不透液性のシート材料を使用することがきる。最内側シート部材２０は、その前縁部分２１と後縁部分２２とが伸長状態にある弾性部材２１ｂ、２２ｂを含んでいて横方向Ｂへ弾性的に伸長、収縮できることが好ましいが、最内側シート部材２０が横方向Ｂへ弾性的に伸長、収縮可能な弾性シート材料で形成されている場合には、弾性部材２１ｂ、２２ｂの使用を省くことが可能である。ただし、この発明は、前縁部分２１と後縁部分２２とが横方向Ｂへ弾性的に伸長、収縮することのない態様で実施することも可能である。
【００２６】
図５は、この発明の実施形態の一例を示すパンツ型おむつ１の部分破断斜視図であって。図１のパンツ型おむつ１と同じ部位には同じ参照符号が使用されている。すなわち、図５のパンツ型おむつ１もまた、股下域６と、前胴周り域７と、後胴周り域８とを有していて、前後胴周り域７，８の側縁部７ａ，８ａが合掌状に重なり合い、上下方向Ｃに間欠的に形成された接合域９において互いに溶着して胴周り開口１１と一対の脚周り開口１２とが形成されている。おむつ１はまた、着用者（図示せず）の肌と向かい合う最内側シート部材１２０と、最内側シート部材１２０の外面１２０ｂに取り付けられている体液吸収部材１２２とを含み、これら最内側シート部材１２０と体液吸収部材１２２とが一体になることによってパンツ形状の肌被覆部１０を形成している。最内側シート部材１２０は、好ましくは疎水性、より好ましくは疎水性かつ不透液性のもので、前胴周り域７と後胴周り域８とに位置する部位の内面には弾性シート片５２を伸長状態で接合することにより胴周り方向へ弾性的に伸長、収縮可能に形成されている。最内側シート部材１２０のうちで股下域６に位置する部位には、前部開口３３と後部開口３４とが形成されている。前部開口３３は、周縁部３３ｂを有するもので、横方向中心線Ｑ−Ｑよりも前方であって着用者の外性器をのぞかせることができる位置にある。また、後部開口３４は、周縁部３４ｂを有するもので、横方向中心線Ｑ−Ｑよりも後方であって着用者の肛門をのぞかせることができる位置にある。図５にはまた、最内側シート部材１２０における周縁部３３ｂの下方部分３３ｃと周縁部３４ｂの下方部分３４ｃとの間に介在してこれら両部分３３ｃ、３４ｃを接合している変形抑制シート部材８１が示されている（図６を併せて参照）。仮想線Ｊは、体液吸収部材１２２が股下域６において矢印Ｅ，Ｆ方向へ動いて折れ曲がり、肌に接近するように矢印Ｇ方向へ向かおうとするときの形状を示している。変形抑制シート８１は、そのときの体液吸収部１２２の動きを抑えるように作用する。
【００２７】
体液吸収部材１２２は、透液性内面シート２と不透液性外面シート３との間に体液吸収性の芯材４が介在することによって形成される体液吸収部４５を有するもので、それら内外面シート２，３は芯材４の周縁から延出する部分で重なり合って互いに接合するとともに、前部開口３３と後部開口３４とを最内側シート部材１２０の外側から覆うように両シート２，３の少なくとも一方が最内側シート部材１２０に接合している。股下域６の両側縁部１３では、内面シート２と外面シート３と最内側シート部材１２０とが重なり合って接合している。その両側縁部１３ではまた、内面シート２と外面シート３との間にあって側縁部１３に沿って延びる脚周り弾性部材１４ｂが、これら両シート２，３の少なくとも一方に伸長状態で接合している。両側縁部１３の間においては、内面シート２と最内側シート部材１２０とが接合しておらず、芯材４の厚さ方向において最内側シート部材１２０が内面シート２から離間して、これら両者２，１２０によって排泄物収容部３１が形成され、その排泄物収容部３１には前部開口３３から尿が進入し、後方開口３４からは便が進入する。
【００２８】
図６は、図５のＶＩ−ＶＩ線断面図であって、このＶＩ−ＶＩ線は前後方向中心線Ｐ−Ｐに一致している。最内側シート部材１２０は、前部開口３３を画成している周縁部３３ｂのうちの下方部分３３ｃと、後部開口３４を画成している周縁部３４ｂのうちの下方部分３４ｃとが厚さＮと高さＫとを有する変形抑制シート部材８１を介することによって間接的に接合している。最内側シート部材１２０は、前後方向Ａにおいて下方部分３３ｃと３４ｃとの間に位置する部分３６が股下域６の最下部６ａに向かって垂下して、下端部３５が内面シート２に接合している。
【００２９】
図７は、この発明の実施形態の一例を示す図６と同様な図である。図７のおむつ１では、最内側シート部材１２０どうしが直接的に接合することによってセパレータ２０ａを形成している。変形抑制シート部材８１は、そのセパレータ２０ａの後面８３に取り付けられている。この場合の変形抑制シート部材８１は、排泄物収容部３１の進入した軟便と直接的に接触することが有り得るものであるから、連続気泡を有するスポンジや捲縮した複合繊維で形成されている不織布のような間隙の多いシート材料が使用されているものであると、軟便をその間隙の中に取り込むことができる。流動性の高い軟便がそのように取り込まれると、後方開口３４の外へ軟便が逆流して肌を汚すということが極めて少なくなる。ただし、この発明は、変形抑制シート部材８１をセパレータ２０ａの後面８３ではなくて、前面８２に取り付けて実施することも可能である。
【図面の簡単な説明】
【００３０】
【図１】パンツ型おむつの部分破断斜視図。
【図２】パンツ型おむつを分解し、伸展した状態を示す図。
【図３】図１のＩＩＩ−ＩＩＩ線断面図。
【図４】図３のＩＶ−ＩＶ線矢視図。
【図５】実施形態の一例を示すパンツ型おむつの部分破断斜視図。
【図６】図５のＶＩ−ＶＩ線断面図。
【図７】実施形態の一例を示す図６と同様な図。
【符号の説明】
【００３１】
１    パンツ型おむつ
２    内面シート
３    外面シート
４    芯材
６    股下域
６ａ    最下部
７    前胴周り域
８    後胴周り域
１０    肌被覆部
１２    脚周り開口
２０    最内側シート部材
２０ａ    セパレータ
３１    排泄物収容部
３３    前部開口
３４    後部開口
３５    下端部
４５    体液吸収部
８１    シート状部材（変形抑制シート）
１２０    最内側シート部材
Ａ    前後方向
Ｂ    横方向
Ｃ    上下方向
Ｋ    セパレータの上下方向の寸法
Ｌ    高さ
Ｍ    幅
Ｎ    厚さ
Ｐ−Ｐ    中心線
【図１】
0005185671.tif 000002
【図２】
0005185671.tif 000003
【図３】
0005185671.tif 000004
【図４】
0005185671.tif 000005
【図５】
0005185671.tif 000006
【図６】
0005185671.tif 000007
【図７】
0005185671.tif 000008